(57)【要約】【課題】スクリーンに付着した異物を効率よく除去する。【解決手段】弁装置１００は、流体の流路Ｐが形成されたケーシング１と、流路Ｐ上に配置され、弁孔２１を有する弁座２と、流体が通過するように流路Ｐ上に配置され、流体から異物を除去するスクリーン４と、清掃時にはＸ軸方向において弁座２の方へ移動して、弁座２に付着した異物を除去する清掃棒５と、スクリーン４に接触した状態で配置され、スクリーン４に付着した異物を清掃するブラシ７とを備えている。スクリーン４は、清掃棒５に連結されている。清掃棒５が弁座２を清掃するために弁座２の方へ移動するのに伴ってスクリーン４がブラシ７に対して相対的に移動することによって、スクリーン４がブラシ７によって清掃される。【選択図】図１
2018189173.tif 000002
【特許請求の範囲】
【請求項１】
流体の流路が形成されたケーシングと、
前記流路上に配置され、弁孔を有する弁座と、
流体が通過するように前記流路上に配置され、流体から異物を除去するスクリーンと、
清掃時には所定の軸の方向において前記弁座の方へ移動して、前記弁座に付着した異物を除去する第１清掃部材と、
前記スクリーンに接触した状態で配置され、前記スクリーンに付着した異物を除去する第２清掃部材とを備え、
前記スクリーン又は前記第２清掃部材は、前記第１清掃部材に連結されており、
前記第１清掃部材が前記弁座を清掃するために前記弁座の方へ移動するのに伴って前記スクリーン及び前記第２清掃部材の一方が前記スクリーン及び前記第２清掃部材の他方に対して相対的に移動することによって、前記スクリーンが前記第２清掃部材によって清掃されることを特徴とする弁装置。
【請求項２】
請求項１に記載の弁装置において、
前記第１清掃部材は、前記軸を中心に回転しながら前記軸の方向に進退するように構成され、前記軸を中心に回転しながら前記弁座の異物を削り取ることを特徴とする弁装置。
【請求項３】
請求項２に記載の弁装置において、
前記スクリーン及び前記第２清掃部材のうち前記第１清掃部材に連結されている方は、前記第１清掃部材と一体的に前記軸を中心に回転することを特徴とする弁装置。
【請求項４】
請求項１乃至３の何れか１つに記載の弁装置において、
前記弁孔の開度を調整する弁体をさらに備え、
前記弁体は、前記第１清掃部材と一体的に形成され、前記第１清掃部材が前記軸の方向へ進退することによって前記弁孔の開度を調整することを特徴とする弁装置。
【請求項５】
請求項４に記載の弁装置において、
前記弁体を駆動する駆動部をさらに備え、
前記駆動部は、前記第１清掃部材を前記軸の方向へ進退させることによって前記弁体を移動させて、前記弁孔の開度を調整することを特徴とする弁装置。
【請求項６】
請求項５に記載の弁装置において、
前記軸を中心に回転させられることによって前記軸の方向へ移動する操作部をさらに備え、
前記操作部には、前記第１清掃部材が前記軸を中心に回転不能に且つ前記軸の方向に進退するように連結され、
前記第１清掃部材は、
前記操作部が回転操作されることによって、前記操作部と一体的に前記軸を中心に回転しながら前記軸の方向において前記弁座の方へ移動して前記弁座の異物を削り取る一方、
前記駆動部に駆動されることによって、前記軸を中心に回転することなく前記操作部に対して前記軸の方向に移動して前記弁孔の開度を調整することを特徴とする弁装置。
【請求項７】
請求項１乃至６の何れか１つに記載の弁装置において、
前記スクリーンは、前記軸を囲む筒状に形成されていることを特徴とする弁装置。
【請求項８】
請求項７に記載の弁装置において、
前記第２清掃部材は、前記スクリーンの全周に亘って設けられていることを特徴とする弁装置。
【請求項９】
請求項７に記載の弁装置において、
前記第２清掃部材は、前記スクリーンの周方向において間隔を空けて複数設けられていることを特徴とする弁装置。
【請求項１０】
請求項１乃至９の何れか１つに記載の弁装置において、
前記第２清掃部材は、ブラシであることを特徴とする弁装置。
【発明の詳細な説明】
【技術分野】
【０００１】
ここに開示された技術は、弁装置に関する。
【背景技術】
【０００２】
従来より、様々な弁装置が知られている。特許文献１には、ケーシング内の流体の流路上に配置され、流体が通過する際に流体から異物を除去するスクリーンを備える弁装置が開示されている。
【先行技術文献】
【特許文献】
【０００３】
【特許文献１】特開２００２−３７２１６６号公報
【発明の概要】
【発明が解決しようとする課題】
【０００４】
前述のようなスクリーンを備える弁装置においては、スクリーンによって除去された異物がスクリーンに付着する場合がある。スクリーンに付着した異物が増加すると、スクリーンを通過する流体の流量が低下してしまう。
【０００５】
ここに開示された技術は、かかる点に鑑みてなされたものであり、その目的とするところは、スクリーンに付着した異物を効率よく除去することにある。
【課題を解決するための手段】
【０００６】
ここに開示された弁装置は、流体の流路が形成されたケーシングと、前記流路上に配置され、弁孔を有する弁座と、流体が通過するように前記流路上に配置され、流体から異物を除去するスクリーンと、所定の軸の方向に進退するように設けられ、前記弁座に付着した異物を清掃する第１清掃部材と、前記スクリーンに接触した状態で配置され、前記スクリーンに付着した異物を清掃する第２清掃部材とを備え、前記スクリーン又は前記第２清掃部材は、前記第１清掃部材に連結されており、前記第１清掃部材が前記弁座を清掃するために前記弁座の方へ移動するのに伴って前記スクリーン及び前記第２清掃部材の一方が前記スクリーン及び前記第２清掃部材の他方に対して相対的に移動することによって、前記スクリーンが前記第２清掃部材によって清掃される。
【発明の効果】
【０００７】
ここに開示された弁装置によれば、スクリーンに付着した異物を効率よく除去することができる。
【図面の簡単な説明】
【０００８】
【図１】図１は、弁孔が全開状態における弁装置の断面図である。
【図２】図２は、弁孔が全閉状態における弁装置の断面図である。
【図３】図３は、図１のIII−III線における、弁装置の断面図である。
【図４】図４は、清掃中の弁装置の断面図である。
【図５】図５は、変形例に係る、図３に相当する弁装置の断面図である。
【発明を実施するための形態】
【０００９】
以下、例示的な実施形態を図面に基づいて詳細に説明する。
【００１０】
図１は、弁孔２１が全開状態における弁装置１００の断面図である。図２は、弁孔２１が全閉状態における弁装置１００の断面図である。
【００１１】
弁装置１００は、内部に流路Ｐが形成されたケーシング１と、流路Ｐ上に配置され、弁孔２１を有する弁座２と、弁孔２１を開閉する弁体３と、流体が通過するように流路Ｐ上に配置され、流体から異物を除去するススクリーン４と、弁座２に付着した異物を清掃する清掃棒５と、スクリーン４に付着した異物を清掃するブラシ７と、弁体３を駆動する駆動部８とを備えている。弁装置１００は、流入してくる流体（例えば、ドレン）の温度に応じて流体の流量を調整する。
【００１２】
ケーシング１は、流体が流入する流入口１３、弁室１４、及び、流体が流出する流出口１５が形成された本体１１と、本体１１に取り付けられ、本体１１と共に弁室１４を区画する蓋１２とを有している。
【００１３】
本体１１には、上方へ開口し、底を有する開口１１ａが形成されている。開口１１ａの内径は、下方に向かって段階的に小さくなっている。この開口１１ａは、蓋１２によって閉鎖されている。この開口１１ａによって弁室１４が形成されている。本体１１には、流入口１３と弁室１４とを連通させる第１連通路１６と、弁室１４と流出口１５とを連通させる第２連通路１７とが形成されている。
【００１４】
弁室１４には、第１連通路１６を介して流入してくる流体の流れ方向を規制する規制筒９１が設けられている。規制筒９１は、円筒状に形成されている。規制筒９１の上端縁には、開口１１ａの内周壁に連結される連結部９１ａが周方向に間隔を空けて複数設けられている。第１連通路１６を介して流入する流体は、連結部９１ａが設けられていない部分を通って、弁室１４のうち規制筒９１よりも上方の空間へ流入する。
【００１５】
弁座２は、Ｘ軸の方向に延びる円筒状に形成されている。弁座２の内部には、Ｘ軸の方向に延びる貫通孔２２が形成されている。貫通孔２２には隔壁２３が設けられている。弁孔２１は、隔壁２３に形成されている。弁座２は、弁室１４の下部においてケーシング１の本体１１にネジ締結されている。弁室１４のうち弁座２よりも下方の空間に第２連通路１７が連通している。
【００１６】
以下、本開示においては、特段の断りが無い限り、「周方向」とは、Ｘ軸を中心とする周方向を意味し、「径方向」とは、Ｘ軸を中心とする径方向を意味する。また、Ｘ軸の方向を「Ｘ軸方向」とも称する。
【００１７】
スクリーン４は、有底の円筒状に形成されている。詳しくは、スクリーン４は、円筒状の周壁４１と、周壁４１の下端に連結された円形の底壁４２とを有している。周壁４１及び底壁４２には、複数の微少な貫通孔（図示省略）が形成されており、流体が通過可能となっている。スクリーン４は、弁室１４において弁座２よりも上方の空間に配置される。より詳しくは、スクリーン４は、本体１１の開口１１ａのうち内径が最も大きい部分に配置されている。スクリーン４の外径は、開口１１ａの内径よりも小さく、スクリーン４の周壁４１と開口１１ａの内周面との間には空間が形成されている。詳しくは後述するが、スクリーン４は、清掃棒５と共にＸ軸方向に移動するように構成されている。スクリーン４の下部は、規制筒９１に摺動自在に嵌っている。蓋１２には、スクリーン４の上部が進入するガイド溝１２ａが形成されている。ガイド溝１２ａは、略円形に形成されている。スクリーン４の上部は、ガイド溝１２ａに摺動自在に嵌っている。
【００１８】
流入口１３から第１連通路１６を介して弁室１４へ流入する流体は、規制筒９１によって、スクリーン４の周壁４１と開口１１ａの内周面との間に形成された空間へ案内される。この流体は、スクリーン４の周壁４１を径方向内側へ向かって通過する。このとき、流体に含まれる異物がスクリーン４によって除去される。周壁４１の内側へ流入した流体は、スクリーン４の底壁４２を通過して、弁座２の方へ流れる。該流体は、弁座２の弁孔２１を通過して、第２連通路１７を介して流出口１５から流出していく。
【００１９】
弁体３は、清掃棒５と一体的に形成されている。そのため、先に清掃棒５について説明する。
【００２０】
清掃棒５は、ユーザによって操作される操作部６に連結されている。操作部６は、Ｘ軸方向に延び、上端が閉じる一方、下端が開放された円筒状に形成されている。詳しくは、操作部６には、下端からＸ軸方向に延びる挿入孔６１が形成されている。操作部６の外周面には雄ネジ６２が形成されている。蓋１２には、Ｘ軸方向に延びる貫通孔１８が形成されている。貫通孔１８の上部には雌ネジ１８ａが形成されている。操作部６は、蓋１２の貫通孔１８に挿入される。このとき、雄ネジ６２は、雌ネジ１８ａに螺合されている。操作部６の下端部の外周面には、雄ネジ６２が形成されておらず、周方向に延びる溝６３が形成されている。溝６３には、Ｏリング６４が装着されている。Ｏリング６４は、貫通孔１８の内周面に摺接している。
【００２１】
操作部６の上端には、ドライバ等の工具が係合する係合溝６５が形成されている。操作部６は、係合溝６５に係合する工具によって回転操作されることによって、Ｘ軸を中心に回転しながらＸ軸方向に進退する。
【００２２】
操作部６の下部には、Ｘ軸方向に延びる２本のガイド溝６６が形成されている。２本のガイド溝６６は、Ｘ軸を中心に１８０℃異なる位置に形成されている。これらガイド溝６６によって、操作部６の下部は二叉状に形成されている。ガイド溝６６は、Ｘ軸方向において、操作部６の下端から所定の長さだけ形成されている。
【００２３】
蓋１２の上面には、Ｘ軸方向に延びるボス１９が形成されている。ボス１９の内部にも貫通孔１８が形成されている。ボス１９の外周面には雄ネジ１９ａが形成されている。操作部６の上端部は、ボス１９から突出している。操作部６のうちボス１９から突出する部分には、雌ネジ１８ａへの操作部６の螺合の緩みを防止するためのナット９２が設けられている。さらに、ボス１９には、操作部６を覆うキャップ９３が取り付けられている。キャップ９３は、雄ネジ１９ａに螺合されている。
【００２４】
清掃棒５は、Ｘ軸方向に延びる棒状、より詳しくは円柱状に形成されている。清掃棒５は、第１清掃部材の一例である。清掃棒５は、操作部６に対して、Ｘ軸を中心に回転不能に且つＸ軸方向に進退するように連結されている。詳しくは、清掃棒５には、径方向に清掃棒５を貫通する係合ピン５１が設けられている。清掃棒５は、操作部６の挿入孔６１に挿入される。このとき、係合ピン５１は、ガイド溝６６に係合している。清掃棒５は、挿入孔６１及びガイド溝６６に案内されることによって、操作部６に対してＸ軸を中心に回転不能且つＸ軸方向に進退する。ただし、係合ピン５１がガイド溝６６の上端に当接することによって、清掃棒５がＸ軸方向においてそれ以上、上方へ移動することが規制されている。つまり、ガイド溝６６の上端は、清掃棒５のＸ軸方向における上方への移動を規制するストッパ６７となっている。
【００２５】
清掃棒５の下端部には、平板状のスクレーパ部５２が形成されている。スクレーパ部５２は、弁座２の貫通孔２２に進入する。詳しくは後述するが、スクレーパ部５２は、弁座２の隔壁２３の上面に付着した異物を削り落とす。
【００２６】
弁体３は、このように構成された清掃棒５の下端、即ち、スクレーパ部５２の下端に設けられている。すなわち、弁体３は、清掃棒５と一体的に形成されている。弁体３は、円錐状に形成されており、弁孔２１に嵌って弁孔２１を密閉する。
【００２７】
また、清掃棒５には、スクリーン４が連結されている。詳しくは、清掃棒５は、スクリーン４の底壁４２の中央を貫通している。底壁４２は、清掃棒５に溶接、嵌め合い、又はその他の手段で固定されている。すなわち、スクリーン４は、清掃棒５に対して、Ｘ軸回りに回転不能且つＸ軸方向に移動不能に連結されている。
【００２８】
駆動部８は、複数の温度応動部材８１と、コイルバネ８２とを有している。温度応動部材８１は、線膨張率の異なる２種類の金属を重ね合わせて円盤状に形成されたバイメタルで構成されている。温度応動部材８１は、常温においては、略平板状となっている。温度応動部材８１は、温度が上昇するほど、円盤の中央が膨出するように湾曲する。温度応動部材８１の中央には、清掃棒５が貫通する貫通孔が形成されている。複数の温度応動部材８１は、清掃棒５が貫通した状態で、弁室１４におけるスクリーン４の内部（底壁４２の上方）に配置されている。複数の温度応動部材８１は、膨出する方向が互い違いになるように積層されている。つまり、一の温度応動部材８１は、上方へ膨出するように配置され、それと隣接する温度応動部材８１は、下方へ膨出するように配置される。こうすることによって、複数の温度応動部材８１の上下方向、即ち、Ｘ軸方向の全長は、温度が上昇するほど増大し、温度が低下するほど減少する。一番上に位置する温度応動部材８１は、操作部６（又は、蓋１２）と接触している。一番下に位置する温度応動部材８１は、スクリーン４の底壁４２に接触している。
【００２９】
一方、コイルバネ８２は、弁室１４におけるスクリーン４の下方に配置されている。コイルバネ８２の上端部は、スクリーン４の底壁４２に接触し、コイルバネ８２の下端部は、ケーシング１の本体１１に接触している。コイルバネ８２は、圧縮された状態で配置されている。そのため、コイルバネ８２は、スクリーン４の底壁４２を上方へ押圧している。
【００３０】
このように構成された駆動部８においては、複数の温度応動部材８１の温度が上昇すると、複数の温度応動部材８１のＸ軸方向の全長が増大する。これにより、スクリーン４が複数の温度応動部材８１によって下方へ押圧される。図２に示すように、スクリーン４は、コイルバネ８２の付勢力に抗して下方へ移動し、それに伴い、清掃棒５も下方へ移動する。清掃棒５には弁体３が一体的に形成されているので、弁体３も下方へ移動する。弁体３の移動量は、温度応動部材８１の温度に依存している。弁体３が最も下方へ移動すると、弁体３が弁孔２１を全閉する。
【００３１】
一方、複数の温度応動部材８１の温度が低下すると、複数の温度応動部材８１のＸ軸方向の全長が減少する。これにより、スクリーン４は、コイルバネ８２の付勢力によって上方へ移動し、それに伴い、清掃棒５及び弁体３も上方へ移動する。こうして、弁体３が弁孔２１を開く。
【００３２】
つまり、流体の温度が高い場合には弁孔２１の開度が絞られ、流量が減少する。一方、流体の温度が低い場合には弁孔２１の開度が大きくなり、流量が増大する。
【００３３】
尚、前述のように駆動部８によって清掃棒５がＸ軸方向へ移動する際には、操作部６は固定されたままなので、清掃棒５は、ガイド溝６６及び係合ピン５１の係合によってＸ軸を中心として回転不能となっている。
【００３４】
続いて、ブラシ７について説明する。図３は、図１のIII−III線における、弁装置の断面図である。
【００３５】
ブラシ７は、弁室１４におけるスクリーン４の外側に配置されている。ブラシ７は、Ｘ軸方向に延びる円筒状のベース７１と、ベース７１の内周面から径方向内側に延びる複数の毛７２とを有している。ブラシ７は、スクリーン４の周壁４１と開口１１ａの内周面との間に形成された空間に配置されている。ブラシ７は、本体１１に固定されている。ベース７１は、本体１１の開口１１ａに嵌る外径を有している。毛７２は、金属製のワイヤで形成されている。図３に示すように、毛７２は、スクリーン４の全周に亘って設けられている。毛７２の先端は、スクリーン４の周壁４１に接触している。ブラシ７は、基本的には、清掃棒５が弁座２を清掃する際にスクリーン４を清掃する。第１連通路１６を介して、スクリーン４の周壁４１と開口１１ａの内周面との間の空間に流入してきた流体は、毛７２の間を流通し、周壁４１を通過する。ブラシ７は、第２清掃部材の一例である。
【００３６】
以下、清掃棒５及びブラシ７による清掃について説明する。ここでは、図１に示すように、弁体３が弁孔２１を全開にした状態から清掃を開始する場合について説明する。
【００３７】
まず、キャップ９３が取り外され、ナット９２が緩められる。その後、係合溝６５に係合する工具によって操作部６が回転させられる。これにより、操作部６は、Ｘ軸回りに回転しながらＸ軸方向へ移動する。このとき、操作部６がＸ軸方向の下方へ移動するように、操作部６は回転させられる。清掃棒５の係合ピン５１が操作部６のストッパ６７に接触しているので、操作部６がＸ軸方向の下方へ移動するのに伴って清掃棒５もＸ軸方向の下方へ移動する。また、係合ピン５１とガイド溝６６との係合によって、清掃棒５は、操作部６と共にＸ軸回りに回転する。やがて、清掃棒５のスクレーパ部５２は、Ｘ軸回りに回転しながら弁座２の隔壁２３に接触する。その際、スクレーパ部５２は、隔壁２３に付着した異物を削り取る。こうして、清掃棒５によって弁座２に付着した異物が清掃される。
【００３８】
清掃棒５がＸ軸回りに回転しながらＸ軸方向の下方へ移動する際には、スクリーン４も清掃棒５と一体的にＸ軸回りに回転しながらＸ軸方向の下方へ移動する。周壁４１の外周面には、ブラシ７の毛７２が接触している。そのため、スクリーン４の移動に伴って、周壁４１の外周面は、毛７２に対して摺動する。これにより、周壁４１の外周面に付着した異物は、毛７２によって除去される。
【００３９】
このように、弁座２を清掃するために弁座２の方へ移動する清掃棒５にスクリーン４が連結され、清掃棒５の弁座２の方への移動に伴ってスクリーン４がブラシ７に対して相対的に移動することによって、スクリーン４がブラシ７によって清掃される。つまり、清掃棒５によって弁座２を清掃するときに、同時にスクリーン４がブラシ７によって清掃される。その結果、スクリーン４の清掃を効率よく行うことができる。
【００４０】
以上のように、弁装置１００は、流体の流路Ｐが形成されたケーシング１と、流路Ｐ上に配置され、弁孔２１を有する弁座２と、流体が通過するように流路Ｐ上に配置され、流体から異物を除去するスクリーン４と、清掃時にはＸ軸方向において弁座２の方へ移動して、弁座２に付着した異物を除去する清掃棒５と、スクリーン４に接触した状態で配置され、スクリーン４に付着した異物を清掃するブラシ７とを備え、スクリーン４は、清掃棒５に連結されており、清掃棒５が弁座２を清掃するために弁座２の方へ移動するのに伴ってスクリーン４がブラシ７に対して相対的に移動することによって、スクリーン４がブラシ７によって清掃される。
【００４１】
この構成によれば、清掃棒５が弁座２を清掃するときにスクリーン４もブラシ７によって清掃される。その結果、スクリーン４を効率よく清掃することができる。
【００４２】
また、清掃棒５は、Ｘ軸を中心に回転しながらＸ軸方向に進退するように構成され、Ｘ軸を中心に回転しながら弁座２の異物を削り取る。
【００４３】
この構成によれば、清掃棒５は、弁座２の清掃時には、Ｘ軸方向へ移動すると共にＸ軸を中心に回転する。この回転によって、清掃棒５は弁座２の異物を削り取る。
【００４４】
それに加えて、スクリーン４は、清掃棒５と一体的にＸ軸を中心に回転する。
【００４５】
この構成によれば、スクリーン４は、清掃棒５がＸ軸を中心に回転しながらＸ軸方向に移動する際に、少なくともＸ軸を中心に回転する。つまり、スクリーン４は、Ｘ軸を中心に回転するようにブラシ７に対して相対的に移動する。スクリーン４がＸ軸を中心に回転している間に、ブラシ７がスクリーン４を清掃する。
【００４６】
また、弁装置１００は、弁孔２１の開度を調整する弁体３をさらに備え、弁体３は、清掃棒５と一体的に形成され、清掃棒５がＸ軸方向へ進退することによって弁孔２１の開度を調整する。
【００４７】
この構成によれば、弁体３が弁孔２１を調整する際にも清掃棒５がＸ軸方向へ進退し、それに伴い、スクリーン４も移動する。つまり、弁体３が弁孔２１の開度を調整する際にもスクリーン４がブラシ７によって清掃される。
【００４８】
弁装置１００は、弁体３を駆動する駆動部８をさらに備え、駆動部８は、清掃棒５をＸ軸方向へ進退させることによって弁体３を移動させて、弁孔２１の開度を調整する。
【００４９】
この構成によれば、駆動部８によって清掃棒５、ひいては、弁体３がＸ軸方向へ進退する。
【００５０】
また、弁装置１００は、Ｘ軸を中心に回転させられることによってＸ軸方向へ移動する操作部６をさらに備え、操作部６には、清掃棒５がＸ軸を中心に回転不能に且つＸ軸方向に進退するように連結され、清掃棒５は、操作部６が回転操作されることによって、操作部６と一体的にＸ軸を中心に回転しながらＸ軸方向において弁座２の方へ移動して弁座２の異物を削り取る一方、駆動部８に駆動されることによって、Ｘ軸を中心に回転することなく操作部６に対してＸ軸方向に移動して弁孔２１の開度を調整する。
【００５１】
この構成によれば、清掃棒５は、操作部６に対して、Ｘ軸を中心に回転不能に且つＸ軸方向に進退するように連結されている。そのため、清掃時には、操作部６が回転操作されることによって、清掃棒５は、操作部６と一体的にＸ軸を中心に回転しながらＸ軸方向へ移動して弁座２の異物を削り取る。一方、清掃棒５は、操作部６に対してＸ軸を中心に回転不能ではあるが、Ｘ軸方向に進退できる。そのため、弁孔２１の開度を調整する際には、清掃棒５は、操作部６が移動しなくても駆動部８による駆動に応じてＸ軸方向へ移動する。
【００５２】
また、スクリーン４は、Ｘ軸を囲む筒状に形成されている。
【００５３】
そして、ブラシ７は、スクリーン４の全周に亘って設けられている。
【００５４】
この構成によれば、スクリーン４がブラシ７に対して相対的にＸ軸方向へ移動することによって、スクリーン４の全周に亘って清掃を行うことができる。
【００５５】
また、第２清掃部材は、ブラシ７で形成されている。
【００５６】
この構成によれば、ブラシ７のブラシの毛７２の間を流体が流通することができる。そのため、ブラシ７の毛７２がスクリーン４に接触している状態であっても、流体のスクリーン４の通過を許容することができる。
【００５７】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５８】
前記実施形態について、以下のような構成としてもよい。
【００５９】
弁座２及び弁体３の構成は、前述の構成に限られない。例えば、弁体３は、清掃棒５と一体的に形成されていなくてもよい。また、弁体３は、温度応動部材８１によって駆動される構成でなくてもよい。
【００６０】
また、第１清掃部材は、清掃棒５に限られるものではない。第１清掃部材は、清掃時には弁座２の方へ移動して、弁座２に付着した異物を除去する限り、任意の構成を採用することができる。例えば、第１清掃部材は、清掃時に、Ｘ軸を中心に回転することなくＸ軸方向へ移動する構成であってもよい。また、第１清掃部材は、スクレ−パ部５２のように異物を削り取る構成に限られず、清掃棒５の端縁で異物を押し潰すような構成であってもよい。また、第１清掃部材が除去する異物は、隔壁２３の上面に付着した異物に限られず、弁孔２２の内周面に付着した異物であってもよい。また、清掃棒５は、操作部６によって駆動されるが、これに限られるものではない。
【００６１】
スクリーン４は、清掃棒５に固定されているが、これに限られるものではない。例えば、スクリーン４は、清掃棒５に対してＸ軸回りに回転自在で且つＸ軸方向に移動不能に連結されていてもよい。この場合、スクリーン４は、清掃棒５の移動に伴って、ブラシ７に対して少なくともＸ軸方向に相対的に移動する。あるいは、スクリーン４は、清掃棒５に対してＸ軸回りに回転不能で且つＸ軸方向に移動自在に連結されていてもよい。この場合、スクリーン４は、清掃棒５の移動に伴って、ブラシ７に対して少なくともＸ軸を中心に回転するように相対的に移動する。
【００６２】
ブラシ７は、スクリーン４の外側に設けられているが、これに限られるものではない。流体がスクリーン４を内側から外側へ通過する構成においては、ブラシ７は、スクリーン４の内側に設けられていてもよい。例えば、スクリーン４が弁座２の下流側に設けられている場合には、流体がスクリーン４を内側から外側へ通過し得る。そのような場合には、スクリーン４の内側にブラシ７が設けられるので、清掃棒５には、スクリーン４ではなく、ブラシ７が連結される。つまり、スクリーン４は、ケーシング１に固定され、ブラシ７が清掃棒５と共に移動する。
【００６３】
ブラシ７の毛７２は、スクリーン４の全周に亘って設けられていなくてもよい。例えば、変形例に係るブラシ２０７を図５に示す。ブラシ２０７は、Ｘ軸方向に延びる円筒状のベース２７１と、ベース２７１の内周面から径方向内側に延びる複数の毛２７２とを有している。ベース２７１は、ベース７１と同様の構成をしている。毛２７２は、スクリーン４の周方向において間隔を空けて複数箇所に設けられている。スクリーン４は、清掃棒５の移動に伴ってＸ軸を中心に回転するので、毛２７２が複数箇所だけに設けられているとしてもスクリーン４の全周を清掃することができる。
【００６４】
また、第２清掃部材は、ブラシ７，２０７に限られるものではない。例えば、第２清掃部材は、スクリーン４に付着した異物を削り落とすスクレーパであってもよい。例えば、Ｘ軸方向に延び、周壁４１の外周面に接触する複数のスクレーパが、スクリーン４の周方向に間隔を空けて複数設けられていてもよい。
【産業上の利用可能性】
【００６５】
以上説明したように、ここに開示された技術は、弁装置について有用である。
【符号の説明】
【００６６】
１００      弁装置
１          ケーシング
２          弁座
２１        弁孔
３          弁体
４          スクリーン
５          清掃棒（第１清掃部材）
６          操作部
７          ブラシ（第２清掃部材）
８          駆動部
Ｐ          流路
【図１】
2018189173.tif 000003
【図２】
2018189173.tif 000004
【図３】
2018189173.tif 000005
【図４】
2018189173.tif 000006
【図５】
2018189173.tif 000007